(57)【要約】【課題】保護具と連結部材との間の保持力を確保すること。【解決手段】保護具２が有する被保持体２４と被保持体同士を連結させる連結部材５０の保持体５１は、一方を凸状体として形成し、他方を挟持体として形成し、凸状体２４は、保護具の配列方向に沿って互いに逆向きに突出させた第１係止部２４ｂと、配列方向と凸状体の挿抜方向とに対する直交方向で互いに間隔を空けて対向配置された第１及び第２の係止壁部２４ａ１，２４ａ２と、を有し、挟持体５１は、配列方向に沿って互いに逆向きに突出させ、かつ、保持状態のときに第１係止部に対して挿抜方向の内の抜去方向に間隔を空けて対向配置させる第２係止部５１ｃと、保持状態のときに配列方向と挿抜方向とに対する直交方向で第１及び第２の係止壁部に各々間隔を空けて対向配置させる突出部５１ｄと、を有すること。【選択図】図５
2019213380.tif 000002
【特許請求の範囲】
【請求項１】
電線を配索し且つ保持することが可能な電線配索構造体を備える保護具と、
隣り合う２つの前記保護具のそれぞれの前記電線配索構造体が有する被保持体同士を連結させる連結部材と、
を備え、
前記保護具は、前記電線が設けられている設置対象物毎に設け、
前記連結部材は、隣り合う２つの前記保護具の配列方向に沿って並ぶ２つの前記被保持体毎に設け、前記被保持体との間で相互に保持し合うことが可能な保持体と、２つの前記保持体を連結させる連結体と、を有し、
前記被保持体と前記保持体の内の一方は、凸状体として形成し、
前記被保持体と前記保持体の内の他方は、前記配列方向に直交する挿抜方向での前記凸状体の挿抜が可能で、かつ、前記凸状体の挿入完了後の保持状態のときに前記配列方向で前記凸状体を挟み込む挟持体として形成し、
前記凸状体は、前記配列方向に沿って互いに逆向きに突出させた第１係止部と、前記配列方向と前記挿抜方向とに対する直交方向で互いに間隔を空けて対向配置された第１及び第２の係止壁部と、を有し、
前記挟持体は、前記配列方向に沿って互いに逆向きに突出させ、かつ、前記保持状態のときに前記第１係止部に対して前記挿抜方向の内の抜去方向に間隔を空けて対向配置させる第２係止部と、前記保持状態のときに前記直交方向で前記第１及び第２の係止壁部に各々間隔を空けて対向配置させる突出部と、を有することを特徴とした保護装置。
【請求項２】
前記突出部は、前記保持状態のときに、前記第１係止部と前記第２係止部の係止状態を保ち得る範囲内で、前記直交方向で前記第１及び第２の係止壁部に各々間隔を空けて対向配置させることを特徴とした請求項１に記載の保護装置。
【請求項３】
前記凸状体は、前記配列方向で互いに間隔を空けて対向配置された第３及び第４の係止壁部を有し、
前記突出部は、前記保持状態のときに前記直交方向で前記第３及び第４の係止壁部に各々間隔を空けて対向配置させることを特徴とした請求項１又は２に記載の保護装置。
【請求項４】
前記突出部は、前記保持状態のときに、前記第１係止部と前記第２係止部の係止状態を保ち得る範囲内で、前記配列方向で前記第３及び第４の係止壁部に各々間隔を空けて対向配置させることを特徴とした請求項１，２又は３に記載の保護装置。
【請求項５】
前記凸状体と前記挟持体の内の一方は、前記直交方向に沿って互いに逆向きに突出させた第３係止部を有し、
前記凸状体と前記挟持体の内の他方は、前記保持状態のときに前記第３係止部に対して前記抜去方向に対向配置させる第４係止部を有することを特徴とした請求項１から４の内の何れか１つに記載の保護装置。
【請求項６】
前記設置対象物は、複数の電池セルを備えた電池モジュールであり、
前記電線配索構造体は、前記電池セルの電池状態検出用の電池状態検出センサから引き出された前記電線を配索し且つ保持することが可能なものとして形成し、
前記保護具は、前記電池状態検出センサを保持することが可能なセンサ保持体を備えることを特徴とした請求項１から５の内の何れか１つに記載の保護装置。
【発明の詳細な説明】
【技術分野】
【０００１】
本発明は、保護装置に関する。
【背景技術】
【０００２】
従来、電気自動車やハイブリッド車等の車両には、その駆動源となる回転機に対して給電を行ったり、その回転機で生成された回生電力を充電したりするための電池パックが搭載されている。その電池パックは、複数の電池セルが配列され且つ導電部材を介して電気的に接続された電池モジュールを備える。この種の車両では、電池モジュールの安定した充放電制御を行うべく、電池セルの電池状態（温度や電圧等）を監視している。電池状態検出用センサと電線は、保護具で保護及び保持されている。例えば、下記の特許文献１には、温度検出用のセンサとして、電池セルの温度を検出するサーミスタ（温度センサ）が開示されている。この特許文献１には、そのサーミスタを保護及び保持する保護具が開示されている。また、下記の特許文献２−４には、電線の保護具について開示されている。
【先行技術文献】
【特許文献】
【０００３】
【特許文献１】特開２０１６−９０２８６号公報
【特許文献２】特開２０１５−１５４５９６号公報
【特許文献３】特開２０１７−７３９６３号公報
【特許文献４】特開２０１７−６３５３１号公報
【発明の概要】
【発明が解決しようとする課題】
【０００４】
ところで、電池パックにおいては、複数の電池モジュールが配列されており、その電池モジュール毎に電池状態検出用センサと電線と保護具とが設けられている。それぞれの電池モジュールに配索された電池状態検出用センサの電線は、最終的に１つの経路に纏められて、電池監視ユニット側に接続される。故に、隣り合う２つの電池モジュールの間にて、一方の電池モジュールの電線は、自らの保護具から抜け出して、他方の電池モジュールの保護具にも保護及び保持される。故に、隣り合う２つの保護具においては、その相互間の相対移動を抑えるべく連結部材で連結して、その相互間に亘って配策される電線の耐久性の低下を抑えればよい。しかしながら、電池パックにおいては、それぞれの電池モジュールの間で所定範囲内での相対移動や相対回転を許容している。従って、隣り合う２つの保護具と連結部材との間では、その２つの保護具の間で相対移動や相対回転が発生するのか否かに拘わらず、保持力を確保する必要がある。
【０００５】
そこで、本発明は、保護具と連結部材との間の保持力を確保することが可能な保護装置を提供することを、その目的とする。
【課題を解決するための手段】
【０００６】
上記目的を達成する為、本発明は、電線を配索し且つ保持することが可能な電線配索構造体を備える保護具と、隣り合う２つの前記保護具のそれぞれの前記電線配索構造体が有する被保持体同士を連結させる連結部材と、を備え、前記保護具は、前記電線が設けられている設置対象物毎に設け、前記連結部材は、隣り合う２つの前記保護具の配列方向に沿って並ぶ２つの前記被保持体毎に設け、前記被保持体との間で相互に保持し合うことが可能な保持体と、２つの前記保持体を連結させる連結体と、を有し、前記被保持体と前記保持体の内の一方は、凸状体として形成し、前記被保持体と前記保持体の内の他方は、前記配列方向に直交する挿抜方向での前記凸状体の挿抜が可能で、かつ、前記凸状体の挿入完了後の保持状態のときに前記配列方向で前記凸状体を挟み込む挟持体として形成し、前記凸状体は、前記配列方向に沿って互いに逆向きに突出させた第１係止部と、前記配列方向と前記挿抜方向とに対する直交方向で互いに間隔を空けて対向配置された第１及び第２の係止壁部と、を有し、前記挟持体は、前記配列方向に沿って互いに逆向きに突出させ、かつ、前記保持状態のときに前記第１係止部に対して前記挿抜方向の内の抜去方向に間隔を空けて対向配置させる第２係止部と、前記保持状態のときに前記直交方向で前記第１及び第２の係止壁部に各々間隔を空けて対向配置させる突出部と、を有することを特徴としている。
【０００７】
ここで、前記突出部は、前記保持状態のときに、前記第１係止部と前記第２係止部の係止状態を保ち得る範囲内で、前記直交方向で前記第１及び第２の係止壁部に各々間隔を空けて対向配置させることが望ましい。
【０００８】
また、前記凸状体は、前記配列方向で互いに間隔を空けて対向配置された第３及び第４の係止壁部を有し、前記突出部は、前記保持状態のときに前記直交方向で前記第３及び第４の係止壁部に各々間隔を空けて対向配置させることが望ましい。
【０００９】
また、前記突出部は、前記保持状態のときに、前記第１係止部と前記第２係止部の係止状態を保ち得る範囲内で、前記配列方向で前記第３及び第４の係止壁部に各々間隔を空けて対向配置させることが望ましい。
【００１０】
また、前記凸状体と前記挟持体の内の一方は、前記直交方向に沿って互いに逆向きに突出させた第３係止部を有し、前記凸状体と前記挟持体の内の他方は、前記保持状態のときに前記第３係止部に対して前記抜去方向に対向配置させる第４係止部を有することが望ましい。
【００１１】
また、前記設置対象物は、複数の電池セルを備えた電池モジュールであり、前記電線配索構造体は、前記電池セルの電池状態検出用の電池状態検出センサから引き出された前記電線を配索し且つ保持することが可能なものとして形成し、前記保護具は、前記電池状態検出センサを保持することが可能なセンサ保持体を備えることが望ましい。
【発明の効果】
【００１２】
本発明に係る保護装置は、隣り合う２つの設置対象物の相対移動や相対回転を許容しつつ、隣り合う２つの保護具と連結部材との間の保持力を確保することができる。
【図面の簡単な説明】
【００１３】
【図１】図１は、電池モジュールに組み付けられる前の保護装置を示す斜視図である。
【図２】図２は、電池モジュールに組み付けられた保護装置を示す斜視図である。
【図３】図３は、電池モジュールに組み付けられた保護装置を示す平面図である。
【図４】図４は、保護装置の分解斜視図である。
【図５】図５は、保護具の一方の連結部分を連結部材と共に拡大した分解斜視図である。
【図６】図６は、電池モジュールを筐体の開口側から見た平面図である。
【図７】図７は、温度検出具が組み付けられた保護具を別角度から見た斜視図である。
【図８】図８は、温度検出具が組み付けられる前の保護具の分解斜視図である。
【図９】図９は、温度センサとセンサ保持体とを説明する部分拡大図である。
【図１０】図１０は、図６のＡ部拡大図である。
【図１１】図１１は、幹線配索体と幹線カバー体とを説明する部分拡大図である。
【図１２】図１２は、ガイド配索体とガイドカバー体とを説明する部分拡大図である。
【図１３】図１３は、図９のＢ部拡大図である。
【図１４】図１４は、保護具の一方の連結部分を連結部材と共に拡大した斜視図である。
【図１５】図１５は、図１４のＸ−Ｘ線断面図である。
【図１６】図１６は、図１４のＹ−Ｙ線断面図である。
【発明を実施するための形態】
【００１４】
以下に、本発明に係る保護装置の実施形態を図面に基づいて詳細に説明する。尚、この実施形態によりこの発明が限定されるものではない。
【００１５】
［実施形態］
本発明に係る保護装置の実施形態の１つを図１から図１６に基づいて説明する。
【００１６】
図１から図５の符号１，２は、各々、本実施形態の保護装置と保護具とを示す。また、図１から図３の符号１００は、本実施形態の保護装置１が設けられた電池パックを示す。
【００１７】
電池パック１００は、後述するように電池モジュール１１０毎に電池状態検出具を備えている。保護装置１とは、その電池状態検出具が備える電線を少なくとも保護するものである。この保護装置１は、その電線を電池モジュール１１０毎の保護具２で保護すると共に、隣り合う電池モジュール１１０のそれぞれの保護具２に亘って配策された電線についても、それぞれの保護具２を後述する連結部材５０で連結させることによって保護する。ここでは、この保護装置１を詳述する前に、電池パック１００についての説明を行う。
【００１８】
電池パック１００は、複数の電池モジュール１１０を備える（図１から図３）。そして、電池モジュール１１０は、少なくとも１組の電池セル群１２０と、電池セル群１２０を収容する筐体１３０と、を備える（図６）。この例示の電池モジュール１１０においては、複数組の電池セル群１２０が筐体１３０に収容されている。
【００１９】
電池セル群１２０は、正負それぞれの電極端子（図示略）を有する電池セル（図示略）の集合体であり、配列された複数の電池セルが導電部材１２５（図６）を介して電気的に接続されている。
【００２０】
電池セルは、例えば、直方体状又は円柱状に形成されたセル本体（図示略）を有する。直方体状の電池セルにおいては、例えば、セル本体の１つの壁面に正負それぞれの電極端子が配置されたり、セル本体の対向配置された２つの壁面に正負それぞれの電極端子が各々配置されたりしている。また、円柱状の電池セルにおいては、軸線方向における両端に正負それぞれの電極端子が各々配置されている。ここでは、円柱状の電池セルが用いられているものとする。
【００２１】
導電部材１２５は、金属等の導電性材料で成形する。例えば、導電部材１２５は、金属板を母材にして板状に成形されている。この導電部材１２５は、電池セル群１２０を成す複数の電池セルの電極端子同士を電気的に接続させる。例えば、この導電部材１２５と電極端子は、溶接等で互いを物理的且つ電気的に接続させる。
【００２２】
筐体１３０は、合成樹脂等の絶縁性材料で成形する。この例示の筐体１３０は、主体となる収容箱１３１を備える（図１から図３及び図６）。その収容箱１３１は、５つの壁体で略直方体状の箱体として成形されており、略矩形の開口１３１ａを１つ有している（図１及び図６）。電池セル群１２０は、その開口１３１ａから収容箱１３１の内方の空間に収容する。
【００２３】
この筐体１３０は、その開口１３１ａの一部を残しつつ開口１３１ａを塞ぐカバー１３２を備える（図１から図３及び図６）。つまり、この筐体１３０においては、カバー１３２で塞がれていない開口１３１ａの一部が露出口１３１ｂになっている（図１及び図６）。この例示のカバー１３２は、略矩形の板状に成形する。そして、露出口１３１ｂは、そのカバー１３２の一辺に沿って配置する。ここでは、電池モジュール１１０の並列配置方向に対して直交する２つの辺部の内の一方に沿うように露出口１３１ｂを配置する。
【００２４】
この筐体１３０においては、開口１３１ａの一部を残しつつ開口１３１ａを塞ぐようにカバー１３２が収容箱１３１に組み付けられる。この筐体１３０には、収容箱１３１とカバー１３２との間に、その組付け状態を保つための保持機構（図示略）が設けられている。
【００２５】
この電池モジュール１１０を備える電池パック１００は、電池セルの状態（所謂電池状態）を検出するための電池状態検出具を備える。電池状態検出具は、電池状態検出用のセンサ（以下、「電池状態検出センサ」という。）と、この電池状態検出センサから引き出された電線と、を備える。この電池状態検出具においては、検出対象となる電池状態に応じた電池状態検出センサが設けられている。この例示の電池パック１００は、電池状態検出具として、電池セル又は電池セル群１２０の温度を検出するための温度検出具１４０（図１、図７及び図８）と、電池セル又は電池セル群１２０の電圧を筐体１３０の内方で検出するための電圧検出具１５０（図１及び図６）と、を備えている。その温度検出具１４０と電圧検出具１５０は、電池セルの電池状態を監視する電池監視ユニット（図示略）に接続され、この電池監視ユニットに検出情報を送信する。
【００２６】
電池モジュール１１０は、筐体１３０の内方において、電池セル又は電池セル群１２０の所定の場所が他の場所よりも高温になる。故に、電池モジュール１１０においては、その高温になる少なくとも１箇所を温度検出具１４０による測温位置として定める。
【００２７】
温度検出具１４０は、電池状態検出センサとして、電池セル又は電池セル群１２０の温度検出用の温度センサ１４１を備える（図７及び図８）。更に、この温度検出具１４０は、その温度センサ１４１から引き出された２本の電線１４２を備える（図７及び図８）。ここでは、温度の変化を抵抗値の変化に基づき検出するサーミスタを温度センサ１４１として利用する。
【００２８】
温度センサ１４１は、筐体１３０の内方の測温位置まで筐体１３０の外から挿入する。よって、筐体１３０は、その測温位置への温度センサ１４１の挿入が可能なセンサ挿入口１３２ａを有する（図１及び図６）。そのセンサ挿入口１３２ａは、カバー１３２に貫通孔として形成している。この例示では、センサ挿入口１３２ａを略矩形に形成している。温度センサ１４１は、その測温位置で電池セル又は電池セル群１２０の温度を検出する。温度センサ１４１は、測温位置でセンサ本体１４１ａ（図９）を電池セルに接触させて測温する場合もあれば、測温位置で電池セルの雰囲気温度をセンサ本体１４１ａに測温させる場合もある。
【００２９】
この例示の温度センサ１４１は、センサ本体１４１ａを支える支持部１４１ｂを有しており、かつ、その支持部１４１ｂに被係止部１４１ｃを有している（図９）。この温度センサ１４１においては、センサ挿入口１３２ａからの挿入方向にて、先端側にセンサ本体１４１ａが配置され、後端側に支持部１４１ｂが配置されている。電線１４２は、その支持部１４１ｂから挿入方向とは逆向きに引き出される。被係止部１４１ｃは、温度センサ１４１を保護具２に保持させるために利用する。この被係止部１４１ｃは、挿入方向に対する直交方向に向けて、支持部１４１ｂから爪状の係止体として突出させている。この温度センサ１４１においては、２つの被係止部１４１ｃを対向配置させている。
【００３０】
ここで、電池パック１００においては、開口１３１ａの向きを合わせて複数の電池モジュール１１０を並列配置させたり、複数の電池モジュール１１０の開口１３１ａの向きを合わせた上で電池モジュール１１０の開口１３１ａ側に他の電池モジュール１１０を積層配置させたりする。よって、この電池パック１００においては、同じ構成の電池モジュール１１０を配列したとしても、電池モジュール１１０毎に測温位置が異なる。故に、この電池パック１００においては、電池モジュール１１０毎に温度センサ１４１の設置場所を変える必要がある。
【００３１】
そこで、本実施形態の電池モジュール１１０は、測温位置となり得る全ての場所に温度センサ１４１を設置することができるようにしておく。具体的に、筐体１３０のカバー１３２には、測温位置となり得る全ての場所に対応させてセンサ挿入口１３２ａを形成しておく。これにより、電池パック１００においては、測温位置に拘わらず電池モジュール１１０の共用化が可能になるので、測温位置毎に筐体が異なる電池モジュールを用意せずとも済む。
【００３２】
電圧検出具１５０は、電池状態検出センサとして、電池セル又は電池セル群１２０の電圧検出用の電圧検出端子１５１を備える（図６及び図１０）。更に、この電圧検出具１５０は、その電圧検出端子１５１から引き出された電線１５２を備える（図６及び図１０）。この例示の電圧検出端子１５１は、電池セル群１２０の導電部材１２５に対して電気的に接続させる電気接続部１５１ａ（図６及び図１０）と、電線１５２の端末に対して電気的に接続させる電線接続部（図示略）と、を有する。電気接続部１５１ａは、例えば、導電部材１２５に対して溶接等で物理的且つ電気的に接続する。電線接続部は、例えば、加締め等の圧着によって電線１５２の端末に対して電気的に接続する。この電圧検出具１５０においては、電圧検出端子１５１を複数箇所に設けており、この電圧検出端子１５１毎に電線１５２が設けられている。それぞれの電線１５２は、外装部材（図示略）又は保護テープ（図示略）等で一纏めに束ねられて電線群１５３を成している（図６及び図１０）。
【００３３】
この電圧検出具１５０は、筐体１３０の内方にて、収容箱１３１の保持部（図示略）に保持部材（図示略）を介して保持される。
【００３４】
収容箱１３１の保持部は、露出口１３１ｂを開口として有しており、電圧検出具１５０の保持部材が載せ置かれる主壁と、この主壁の両端で互いに間隔を空けて対向配置された側壁と、を有する断面コの字の成形体である。その主壁と２つの側壁は、露出口１３１ｂ（カバー１３２の一辺）に沿って延在させる。
【００３５】
電圧検出具１５０の保持部材は、その主壁と２つの側壁とに囲まれた収容箱１３１の保持部の内方の空間に収容される。この保持部材は、合成樹脂等の絶縁性材料で成形する。この例示の保持部材は、電気接続部１５１ａを突出させつつ電圧検出端子１５１を収容する端子収容部と、電線群１５３の配索経路を規制するガイド部と、を有する。端子収容部は、電圧検出端子１５１毎に設けている。ガイド部は、電線群１５３の配索経路上の複数箇所に設けている。
【００３６】
続いて、保護装置１の説明を行う。
【００３７】
保護装置１は、電池モジュール１１０毎に設けた保護具２を備える（図１から図５）。保護具２は、合成樹脂等の絶縁性材料で成形する。この保護具２は、電池状態検出センサを保持することが可能なセンサ保持体１０と、電池状態検出センサから引き出された電線を配索し且つ保持することが可能な電線配索構造体２０と、を備える（図１から図３、図７及び図８）。ここで示す保護具２は、温度検出具１４０を保護するために設けている。よって、この例示の保護具２は、温度センサ１４１を保持することが可能なセンサ保持体１０と、温度センサ１４１の電線１４２を配索し且つ保持することが可能な電線配索構造体２０と、を備えている。この保護具２においては、センサ保持体１０と電線配索構造体２０とを一体成形している。
【００３８】
センサ保持体１０は、センサ挿入口１３２ａを塞ぐ開口閉塞部１１と、温度センサ１４１を保持することが可能で且つセンサ挿入口１３２ａから筐体１３０の内方に挿入されるセンサ保持部１２と、を有する（図９）。
【００３９】
開口閉塞部１１は、センサ挿入口１３２ａの形状に合わせて形成する。この例示では、略矩形の板状の主体部分を有するように形成している。この開口閉塞部１１は、主体部分における一方の平面１１ａ（図９）がセンサ挿入口１３２ａとの対向配置面又は合わせ面となるように、そのセンサ挿入口１３２ａを塞ぐ。
【００４０】
センサ保持部１２は、開口閉塞部１１の一方の平面１１ａに立設させる（図９）。この例示のセンサ保持部１２は、温度センサ１４１の被係止部１４１ｃ毎に設けており、一方の平面１１ａ上で対向配置されている。このセンサ保持部１２は、一方の平面１１ａから互いに間隔を空けて突出させた２つの軸部１２ａと、その２つの軸部１２ａにおける突出方向側の端部同士を繋ぐ係止部１２ｂと、を有する（図９）。このセンサ保持部１２は、少なくとも軸部１２ａに可撓性を持たせている。
【００４１】
温度センサ１４１は、センサ挿入口１３２ａからの挿入方向とは逆向きにセンサ保持体１０に挿入していく。この温度センサ１４１は、それぞれの被係止部１４１ｃで係止部１２ｂを押動しながらそれぞれのセンサ保持部１２を撓ませる。それぞれのセンサ保持部１２においては、それぞれの被係止部１４１ｃが係止部１２ｂを乗り越えた際に撓みが解消され、温度センサ１４１がセンサ保持体１０から外れないように、それぞれの係止部１２ｂがそれぞれの被係止部１４１ｃに挿入方向で対向配置される。
【００４２】
ここで、先に示したように、この電池パック１００においては、電池モジュール１１０の配列如何で測温位置が変わる。よって、センサ保持体１０は、測温位置となり得る場所毎に設ける。
【００４３】
電線配索構造体２０は、電線１４２を配索し且つ保持することが可能な複数の電線配索体を有する。この電線配索構造体２０は、その電線配索体として、幹線を成す幹線配索体２１と、この幹線配索体２１から分岐してセンサ保持体１０に連結させた支線配索体２２と、を有している（図１、図７及び図８）。幹線配索体２１は、この保護具２の保護対象となる全ての電線１４２を配索し且つ保持するものである。その全ての電線１４２は、外装部材（図示略）又は保護テープ（図示略）等で一纏めに束ねられている。以下においては、その一纏めに束ねられた全ての電線１４２のことを電線群１４３と称する。一方、支線配索体２２は、自らが繋がるセンサ保持体１０に保持されている温度センサ１４１の電線１４２を配索し且つ保持するものである。更に、電線配索構造体２０は、幹線配索体２１に配索及び保持されている電線群１４３を電池監視ユニットに向けて案内するガイド配索体２３を備えている（図１、図７及び図８）。
【００４４】
幹線配索体２１は、カバー１３２の一辺に沿わせて配置する。ここでは、電池モジュール１１０の並列配置方向に対して直交する２つの辺部の内の一方に沿って幹線配索体２１を配置する。この幹線配索体２１は、そのカバー１３２の一辺よりも長尺の直線状に形成し、両端を電池モジュール１１０から突出させるように配置する。
【００４５】
幹線配索体２１は、開口１３１ａに対向配置される主壁２１ａと、この主壁２１ａの延在方向に沿うように主壁２１ａの両端から各々突出させた側壁２１ｂと、を有する（図１１）。この幹線配索体２１は、その主壁２１ａと２つの側壁２１ｂとで囲まれた内方の空間に沿って電線群１４３を配索及び保持する。この幹線配索体２１においては、２つの側壁２１ｂにおける突出方向側の端部の間の開口が電線挿入口２１ｃとなり（図１１）、その電線挿入口２１ｃから電線群１４３が挿入される。
【００４６】
この幹線配索体２１には、その配索された電線群１４３を保持するための保持部２１ｄを設けている（図１１）。その保持部２１ｄは、電線挿入口２１ｃに設けている。この保持部２１ｄは、２つの側壁２１ｂの内の一方から他方に向けて突出させた片持ちの片体として形成している。この保持部２１ｄは、自由端と他方の側壁２１ｂとの間の隙間が電線群１４３の径方向における最小の大きさよりも狭くなるように形成する。その隙間は、電線群１４３の電線挿入口２１ｃからの押し込み挿入を可能にすると共に外力無しでの電線群１４３の挿通が不能になるように設定する。また、保持部２１ｄやその周辺の２つの側壁２１ｂは、電線群１４３の押し込み挿入を行い易くするために、可撓性を持たせてもよい。保持部２１ｄの数量は、幹線配索体２１の長さに応じて決める。この例示では、複数箇所に保持部２１ｄを設けている。
【００４７】
ガイド配索体２３は、幹線配索体２１の端部から直交方向に延在させる。この電線配索構造体２０においては、幹線配索体２１の両端から各々ガイド配索体２３を同一方向に向けて突出させている。ここでは、それぞれのガイド配索体２３が電池モジュール１１０の並列配置方向に沿って延在している。このガイド配索体２３は、幹線配索体２１と同様の主壁２３ａと２つの側壁２３ｂと電線挿入口２３ｃと保持部２３ｄとを有している（図１２）。このガイド配索体２３の内方の空間は、幹線配索体２１の内方の空間に連通している。
【００４８】
この保護具２は、その幹線配索体２１の電線挿入口２１ｃと２つのガイド配索体２３の電線挿入口２３ｃとを一纏めに塞ぐ第１電線カバー３０を備える（図１、図７、図８、図１１及び図１２）。第１電線カバー３０は、合成樹脂等の絶縁性材料で成形する。この第１電線カバー３０は、幹線配索体２１の電線挿入口２１ｃの全体を塞ぐ幹線カバー体３１と、ガイド配索体２３の電線挿入口２３ｃの全体又は一部を塞ぐガイドカバー体３２と、を有する（図７及び図８）。ガイドカバー体３２は、ガイド配索体２３毎に設けている。
【００４９】
幹線配索体２１と幹線カバー体３１は、幹線配索体２１の側壁２１ｂに設けた爪状の被係止部２１ｅと、幹線カバー体３１に設け、電線挿入口２１ｃの閉塞状態で被係止部２１ｅに引っ掛ける係止片３１ａと、を用いた保持機構で互いに保持する（図１１）。この保持機構は、複数箇所に設けている。また、ガイド配索体２３とガイドカバー体３２は、ガイド配索体２３の側壁２３ｂに設けた爪状の被係止部２３ｅと、ガイドカバー体３２に設け、電線挿入口２３ｃの閉塞状態で被係止部２３ｅに引っ掛ける係止片３２ａと、を用いた保持機構で互いに保持する（図１２）。この保持機構は、複数箇所に設けている。
【００５０】
支線配索体２２は、１つのセンサ保持体１０に連結させるものであってもよく、複数のセンサ保持体１０に連結させるものであってもよい。この支線配索体２２は、幹線配索体２１とセンサ保持体１０との間の形状が如何様なものであってもよい。この例示では、１つのセンサ保持体１０に連結させる支線配索体２２Ａを直線状に形成し、２つのセンサ保持体１０に連結させる支線配索体２２ＢをＹ字状に形成している（図１から図３、図７及び図８）。
【００５１】
支線配索体２２は、開口１３１ａに対向配置される主壁２２ａと、この主壁２２ａの延在方向に沿うように主壁２２ａの両端から各々突出させた側壁２２ｂと、を有する（図９）。更に、この支線配索体２２は、２つの側壁２２ｂの間をこれらの延在方向に沿って間仕切りする仕切り壁２２ｃを有する（図９）。支線配索体２２Ａ，２２Ｂにおいては、一方の側壁２２ｂと仕切り壁２２ｃとにおける突出方向側の端部の間の開口及び他方の側壁２２ｂと仕切り壁２２ｃとにおける突出方向側の端部の間の開口が各々電線挿入口２２ｄとなる（図９）。この支線配索体２２Ａ，２２Ｂにおいては、一方の電線挿入口２２ｄから温度センサ１４１の一方の電線１４２が挿入され、他方の電線挿入口２２ｄから温度センサ１４１の他方の電線１４２が挿入される。
【００５２】
この支線配索体２２Ａ，２２Ｂには、その配索された電線１４２を保持するための保持部２２ｅを設けている（図１３）。その保持部２２ｅは、それぞれの電線挿入口２２ｄに設けている。一方の保持部２２ｅは、仕切り壁２２ｃから一方の側壁２２ｂに向けて突出させた片持ちの爪状の係止体として形成している。他方の保持部２２ｅは、仕切り壁２２ｃから他方の側壁２２ｂに向けて突出させた片持ちの爪状の係止体として形成している。それぞれの保持部２２ｅは、自由端と側壁２２ｂとの間の隙間が電線１４２の径方向における最小の大きさよりも狭くなるように形成する。その隙間は、電線１４２の電線挿入口２２ｄからの押し込み挿入を可能にすると共に外力無しでの電線１４２の挿通が不能になるように設定する。保持部２２ｅの数量は、支線配索体２２Ａ，２２Ｂの長さに応じて決める。この例示では、複数箇所に保持部２２ｅを設けている。
【００５３】
この保護具２においては、複数の支線配索体２２の内の少なくとも１つに電線１４２が配索及び保持される。保護具２は、その電線１４２が配索及び保持されている支線配索体２２の電線挿入口２２ｄを塞ぐ第２電線カバー４０を備える（図１及び図７から図９）。第２電線カバー４０は、合成樹脂等の絶縁性材料で成形する。この第２電線カバー４０は、支線配索体２２の電線挿入口２２ｄの全体又は一部を塞ぐことができるように形成する。ここでは、それぞれの支線配索体２２Ａ，２２Ｂで共用可能な第２電線カバー４０を形成する。故に、この例示の第２電線カバー４０は、支線配索体２２Ａ，２２Ｂの直線部分における電線挿入口２２ｄを塞ぐように直線状に形成する。この第２電線カバー４０は、支線配索体２２Ａ，２２Ｂの複数箇所の直線部分に各々取り付ける。
【００５４】
支線配索体２２と第２電線カバー４０は、支線配索体２２の側壁２２ｂに設けた爪状の被係止部２２ｆと、第２電線カバー４０に設け、２つの電線挿入口２２ｄを閉塞させている状態で被係止部２２ｆに引っ掛ける係止部４１と、を用いた保持機構で互いに保持する（図９）。この保持機構は、複数箇所に設けている。この例示では、どの支線配索体２２に電線１４２が配策されたとしても第２電線カバー４０を取り付けることができるように、それぞれの支線配索体２２Ａ，２２Ｂの直線部分に被係止部２２ｆを設けている。
【００５５】
このように構成している保護具２は、温度センサ１４１とセンサ保持部１２を筐体１３０のカバー１３２のセンサ挿入口１３２ａから挿入しつつ、そのカバー１３２に載せ置かれた状態で筐体１３０に保持される。尚、カバー１３２は、平面上に保護具２を載せ置くものであってもよく、保護具２を溝に嵌め込んで載せ置くものであってもよい。この例示のカバー１３２は、保護具２の支線配索体２２の形状に沿う溝１３２ｂ（図１及び図６）を形成しており、その溝１３２ｂにそれぞれの支線配索体２２が嵌め込まれる（図２及び図３）。
【００５６】
先に示したように、電池モジュール１１０においては、筐体１３０に露出口１３１ｂが存在している。本実施形態の保護具２は、その露出口１３１ｂを塞ぐカバーとしても利用できるように構成する。この例示では、保護具２を電池モジュール１１０に組み付けるだけで、露出口１３１ｂを塞ぐことができるように構成する。
【００５７】
そこで、ここでは、電線配索構造体２０を用いて露出口１３１ｂを塞ぐ。よって、その電線配索構造体２０は、露出口１３１ｂを塞ぐように形成する。この例示の電線配索構造体２０においては、その露出口１３１ｂを塞ぐように幹線配索体２１を形成及び配置する（図２及び図３）。具体的には、その幹線配索体２１の電線挿入口２１ｃを塞ぐ第１電線カバー３０の幹線カバー体３１に、露出口１３１ｂを塞ぐカバーとしての機能を持たせる。幹線配索体２１と幹線カバー体３１は、露出口１３１ｂをその周縁部と共に覆うように形成及び配置されたものであってもよく、露出口１３１ｂから収容箱１３１の保持部に嵌め込まれるように形成及び配置されたものであってもよい。ここでは、後者を例示している。この保護具２は、幹線配索体２１と幹線カバー体３１とを収容箱１３１の保持部に嵌め込むと共に、支線配索体２２を溝１３２ｂに嵌め込んで、電池モジュール１１０からの突出量を抑えることができるので、電池パック１００の体格の大型化を抑えることができる。
【００５８】
ところで、隣り合う２つの電池モジュール１１０においては、それぞれの保護具２が隣り合わせに配置されている。その隣り合う２つの保護具２は、それぞれの電線配索構造体２０同士を連結させている。保護装置１には、それぞれの電線配索構造体２０が有する被保持体２４（図１、図４、図５、図７、図８及び図１４）同士を連結させる連結部材５０が設けられている（図１から図５及び図１４）。連結部材５０は、合成樹脂等の絶縁性材料で成形する。
【００５９】
例えば、保護具２は、複数の電池モジュール１１０が並列配置される場合、電線１４２（電線群１４３）を外方に引き出して電池監視ユニット側に導くもの（保護具２Ａ）と、それ以外のもの（保護具２Ｂ）と、に大別することができる（図１から図５及び図１４）。それぞれの保護具２Ａ，２Ｂにおいては、ガイド配索体２３の形状を一部変えている。
【００６０】
保護具２Ａのそれぞれのガイド配索体２３Ａ（図１から図４及び図７）は、各々、突出方向側の端部を電線１４２（電線群１４３）の保持部２３Ａ１（図７）として形成している。この例示の保持部２３Ａ１は、２つの片体でＬ字状に形成し、電線１４２（電線群１４３）と共に結束バンド６１で巻き付けられている。電線１４２（電線群１４３）は、その保持部２３Ａ１から外方に引き出されて、電池監視ユニット側に導かれる。故に、このガイド配索体２３Ａにおいては、その保持部２３Ａ１側の端部で隣の保護具２に連結されることはない。よって、このガイド配索体２３Ａにおいては、その保持部２３Ａ１側の端部とは逆側の端部のみに被保持体２４を設けている。
【００６１】
一方、保護具２Ｂのそれぞれのガイド配索体２３Ｂ（図１から図４）は、その両端で隣の保護具２に連結される可能性がある。よって、このガイド配索体２３Ｂにおいては、両端に被保持体２４を設けている（図１及び図４）。
【００６２】
この保護具２Ｂにおいては、自らの幹線配索体２１の電線１４２（電線群１４３）が、自らのガイド配索体２３Ｂを介して、隣の保護具２Ａのガイド配索体２３Ａ又は隣の保護具２Ｂのガイド配索体２３Ｂに案内される。先に示したように、この電池パック１００では、隣り合う２つの電池モジュール１１０が互いに相対移動する可能性があり、その相対移動に連動して、隣り合う２つの保護具２についても互いに相対移動する。従って、保護装置１は、その相対移動の有無に拘わらず、隣り合う２つの保護具２の間に亘って配策される電線１４２（電線群１４３）を保護する必要がある。本実施形態の保護装置１は、その連結部分の電線１４２（電線群１４３）の保護も図れるように、被保持体２４と連結部材５０とを構成する。
【００６３】
被保持体２４は、ガイド配索体２３の端部に設けている。隣り合う２つの保護具２においては、その配列方向（以下、「第１方向」という。）Ｄ１に沿って各々の被保持体２４が並べて配置されている（図５及び図１４）。一方、連結部材５０は、第１方向Ｄ１に沿って並ぶ２つの被保持体２４毎に設け、その被保持体２４との間で相互に保持し合うことが可能な保持体５１と、２つの保持体５１を連結させる連結体５２と、を有している（図５及び図１４）。
【００６４】
この例示の保護装置１は、２つの連結部材５０（連結部材５０Ａ，５０Ｂ）を備えている（図１から図４）。隣り合う２つの保護具２は、それぞれの幹線配索体２１の延在方向における一端側を一方の連結部材５０Ａで連結し、それぞれの幹線配索体２１の延在方向における他端側を他方の連結部材５０Ｂで連結する。それぞれの連結部材５０Ａ，５０Ｂは、保持体５１の形状が同一である一方、各々の連結体５２の形状を変えている。この例示では、その連結体５２が如何様な形状のものであってもよい。よって、以下においては、連結部材５０Ａを例に挙げて、保持体５１の説明を行う。
【００６５】
その被保持体２４と保持体５１の内の一方は、凸状体として形成する。また、被保持体２４と保持体５１の内の他方は、第１方向Ｄ１に直交する挿抜方向Ｄｉｐでの凸状体の挿抜が可能で、かつ、その凸状体の挿入完了後の保持状態のときに第１方向Ｄ１で凸状体を挟み込む挟持体として形成する。この例示では、被保持体２４を凸状体として形成し、保持体５１を挟持体として形成している。よって、以下においては、被保持体２４を「凸状体２４」とも称し、保持体５１を「挟持体５１」とも称する。
【００６６】
凸状体２４は、第１方向Ｄ１と挿抜方向Ｄｉｐとに対する直交方向（以下、「第２方向」という。）Ｄ２に突出させる（図５及び図１４）。この例示の凸状体２４は、ガイド配索体２３の端部における外方の側壁２３ｂから突出させている。この例示の凸状体２４は、自らの挿抜方向Ｄｉｐを筒軸方向とする筒部２４ａ（図５及び図１４）を主体とし、第１方向Ｄ１に沿って互いに逆向きに突出させた第１係止部２４ｂ（図５及び図１４）と、第２方向Ｄ２で互いに間隔を空けて対向配置された第１及び第２の係止壁部２４ａ１，２４ａ２（図５及び図１５）と、を有する。また、この凸状体２４には、第１方向Ｄ１で互いに間隔を空けて対向配置された第３及び第４の係止壁部２４ａ３，２４ａ４を設けてもよい（図１６）。この例示の筒部２４ａは、角筒状に形成している。
【００６７】
筒部２４ａは、第１方向Ｄ１に対する２つの直交平面を各々外周壁２４ａ５，２４ａ６として有している（図５及び図１６）。それぞれの第１係止部２４ｂは、その２つの外周壁２４ａ５，２４ａ６から各々爪状に突出させる。それぞれの第１係止部２４ｂは、挿抜方向Ｄｉｐの内の挿入方向Ｄｉに向かうに連れて、各々外周壁２４ａ５，２４ａ６からの突出量を徐々に減少させている。故に、この例示の凸状体２４は、挿入方向Ｄｉ側を先端とする矢尻の如き形状を成している。また、それぞれの第１係止部２４ｂは、筒部２４ａよりも挿入方向Ｄｉ側に突出させ、その先端側を第１方向Ｄ１で互いに間隔を空けて対向配置させている。
【００６８】
また、筒部２４ａは、第１方向Ｄ１に対する２つの直交平面と第２方向Ｄ２に対する２つの直交平面とを各々内周壁として有している。この凸状体２４においては、第２方向Ｄ２に直交する２つの内周壁を各々第１及び第２の係止壁部２４ａ１，２４ａ２として利用し、かつ、第１方向Ｄ１に直交する２つの内周壁を各々第３及び第４の係止壁部２４ａ３，２４ａ４として利用する。
【００６９】
挟持体５１は、挿抜方向Ｄｉｐに対する直交平面を有する主壁５１ａと、この主壁５１ａから挿抜方向Ｄｉｐの内の抜去方向Ｄｐに向けて突出させ、かつ、第１方向Ｄ１で互いに間隔を空けて対向配置させた立壁５１ｂと、を有する（図５及び図１４）。この挟持体５１は、その主壁５１ａと２つの立壁５１ｂとが成す空間に凸状体２４を挿入させ、その空間の挿入完了位置で凸状体２４を保持する。この例示では、その主壁５１ａと立壁５１ｂとを矩形の片体状に形成している。また、その内の少なくとも立壁５１ｂについては、可撓性を持たせている。
【００７０】
この挟持体５１は、第１方向Ｄ１に沿って互いに逆向きに突出させ、かつ、保持状態のときに第１係止部２４ｂに対して抜去方向Ｄｐに間隔を空けて対向配置させる第２係止部５１ｃ（図５、図１４及び図１６）と、保持状態のときに第２方向Ｄ２で第１及び第２の係止壁部２４ａ１，２４ａ２に各々間隔を空けて対向配置させる突出部５１ｄ（図５、図１４及び図１５）と、を有する。その突出部５１ｄは、保持状態のときに第１方向Ｄ１で第３及び第４の係止壁部２４ａ３，２４ａ４に各々間隔を空けて対向配置させている。
【００７１】
第２係止部５１ｃは、立壁５１ｂの先端（自由端）側に設ける。この第２係止部５１ｃは、爪状に形成する。
【００７２】
一方、突出部５１ｄは、それぞれの立壁５１ｂの間で、主壁５１ａから抜去方向Ｄｐに向けて突出させる。この例示の突出部５１ｄは、第２方向Ｄ２に対する直交平面を有する平板状で、かつ、抜去方向Ｄｐ側の先端が小さくなる凸型に形成する。この突出部５１ｄは、凸状体２４の挟持体５１への挿入に連動して、凸型の矩形の先端部分を筒部２４ａの内方の空間に挿入させる。
【００７３】
第１係止部２４ｂと第２係止部５１ｃの挿抜方向Ｄｉｐにおける間隔は、隣り合う２つの保護具２がその間で第１方向Ｄ１を軸にして相対回転したとしても、第１係止部２４ｂと第２係止部５１ｃとが互いの係止状態を保ち得る大きさとする。また、この間隔は、隣り合う２つの保護具２がその間で第２方向Ｄ２を軸にして相対回転したとしても、第１係止部２４ｂと第２係止部５１ｃとが互いの係止状態を保ち得る大きさとする。また、この間隔は、隣り合う２つの保護具２がその間で抜去方向Ｄｐを軸にして相対回転したとしても、第１係止部２４ｂと第２係止部５１ｃとが互いの係止状態を保ち得る大きさとする。よって、この保護装置１においては、これらの相対回転が隣り合う２つの保護具２の間で生じたとしても、それぞれの保護具２を連結部材５０で保持し続けることができる。
【００７４】
具体的に、第１係止部２４ｂと第２係止部５１ｃの第１方向Ｄ１における掛かり代は、隣り合う２つの保護具２が第１方向Ｄ１に沿って相対移動したとしても、又は、隣り合う２つの保護具２がその間で第２方向Ｄ２若しくは抜去方向Ｄｐを軸にして相対回転したとしても、第１係止部２４ｂと第２係止部５１ｃとが互いの係止状態を保ち得る大きさとする。例えば、このような掛かり代を得るべく、凸状体２４における第１係止部２４ｂの根元側の壁部（外周壁２４ａ５，２４ａ６）は、保持状態のときに、第１係止部２４ｂと第２係止部５１ｃの係止状態を保ち得る範囲内で、第１方向Ｄ１で第２係止部５１ｃの突出方向側の端部に間隔を空けて対向配置させる。そして、挟持体５１における第２係止部５１ｃの根元側の壁部は、保持状態のときに、第１係止部２４ｂと第２係止部５１ｃの係止状態を保ち得る範囲内で、第１方向Ｄ１で第１係止部２４ｂの突出方向側の端部に間隔を空けて対向配置させる。更に、第１係止部２４ｂと第２係止部５１ｃの第２方向Ｄ２における掛かり代は、隣り合う２つの保護具２が第２方向Ｄ２に沿って相対移動したとしても、又は、隣り合う２つの保護具２がその間で第１方向Ｄ１若しくは抜去方向Ｄｐを軸にして相対回転したとしても、第１係止部２４ｂと第２係止部５１ｃとが互いの係止状態を保ち得る大きさとする。よって、この保護装置１においては、これらの相対移動や相対回転が隣り合う２つの保護具２の間で生じたとしても、それぞれの保護具２を連結部材５０で保持し続けることができる。
【００７５】
ここで、第１及び第２の係止壁部２４ａ１，２４ａ２と突出部５１ｄのそれぞれの第２方向Ｄ２における間隔は、隣り合う２つの保護具２が第２方向Ｄ２に沿って相対移動したとしても、又は、隣り合う２つの保護具２がその間で第１方向Ｄ１若しくは抜去方向Ｄｐを軸にして相対回転したとしても、第１係止部２４ｂと第２係止部５１ｃとが互いの係止状態を保ち得る範囲内で、突出部５１ｄを第１係止壁部２４ａ１又は第２係止壁部２４ａ２に係止させる大きさに設定してもよい。つまり、突出部５１ｄは、保持状態のときに、第１係止部２４ｂと第２係止部５１ｃの係止状態を保ち得る範囲内で、第２方向Ｄ２で第１及び第２の係止壁部２４ａ１，２４ａ２に各々間隔を空けて対向配置させればよい。これにより、この保護装置１においては、これらの相対移動や相対回転が隣り合う２つの保護具２の間で生じたとしても、それぞれの保護具２を連結部材５０で保持し続けることができる。
【００７６】
また更に、第３及び第４の係止壁部２４ａ３，２４ａ４と突出部５１ｄのそれぞれの第１方向Ｄ１における間隔は、隣り合う２つの保護具２が第１方向Ｄ１に沿って相対移動したとしても、又は、隣り合う２つの保護具２がその間で第２方向Ｄ２若しくは抜去方向Ｄｐを軸にして相対回転したとしても、第１係止部２４ｂと第２係止部５１ｃとが互いの係止状態を保ち得る範囲内で、突出部５１ｄを第３係止壁部２４ａ３又は第４係止壁部２４ａ４に係止させる大きさに設定してもよい。つまり、突出部５１ｄは、保持状態のときに、第１係止部２４ｂと第２係止部５１ｃの係止状態を保ち得る範囲内で、第１方向Ｄ１で第３及び第４の係止壁部２４ａ３，２４ａ４に各々間隔を空けて対向配置させればよい。これにより、この保護装置１においては、これらの相対移動や相対回転が隣り合う２つの保護具２の間で生じたとしても、それぞれの保護具２を連結部材５０で保持し続けることができる。
【００７７】
以上の各パターンを纏めるならば、この保護装置１においては、そのような相対移動や相対回転が隣り合う２つの保護具２の間で生じた際に、連結部材５０と２つの被保持体２４との間の相対移動量を所期の設計値の範囲内に止めておくことができる。従って、この保護装置１は、隣り合う２つの保護具２の連結部分でその間に亘って配策される電線１４２（電線群１４３）の相対移動量を所期の設計値の範囲内に止めておくことができるので、その連結部分での電線１４２（電線群１４３）の保護を図ることもできる。尚、ここでいう所期の設計値とは、隣り合う２つの電池モジュール１１０の間で許容される相対移動量（所謂ガタ）を勘案した上で決められた値のことである。
【００７８】
ここで、この保護装置１は、凸状体２４と挟持体５１の内の一方に、第２方向Ｄ２に沿って互いに逆向きに突出させた第３係止部２４ｃを設け、その内の他方に、保持状態のときに第３係止部２４ｃに対して抜去方向Ｄｐに対向配置させる第４係止部５１ｅを設けてもよい。この例示では、凸状体２４に第３係止部２４ｃを設け、挟持体５１に第４係止部５１ｅを設けている（図１５）。
【００７９】
この例示の凸状体２４には、それぞれの第１係止部２４ｂの先端側の間に、筒部２４ａから挿入方向Ｄｉ側に突出させ、かつ、第２方向Ｄ２で互いに間隔を空けて配置した片部２４ｄが形成されている（図１５）。それぞれの片部２４ｄには、可撓性を持たせる。ここでは、一方の片部２４ｄを第１係止壁部２４ａ１側から突出させ、かつ、他方の片部２４ｄを第２係止壁部２４ａ２側から突出させることで、それぞれの片部２４ｄの間に保持状態で突出部５１ｄが配置されるようにしている。第３係止部２４ｃは、爪状に形成し、その片部２４ｄの先端（自由端）に設ける。第４係止部５１ｅは、突出部５１ｄに設ける。ここでは、それぞれの片部２４ｄが挿入される貫通孔５１ｄ１を突出部５１ｄに形成し（図５、図１５及び図１６）、その貫通孔５１ｄ１の抜去方向Ｄｐ側の壁面を第４係止部５１ｅとして利用する。故に、それぞれの片部２４ｄの第２方向Ｄ２における間隔は、突出部５１ｄの板厚よりも狭める。
【００８０】
このように、この保護装置１は、その第３係止部２４ｃと第４係止部５１ｅとを備えているので、連結部材５０による隣り合う２つの保護具２の保持機能を高めることができる。
【００８１】
以上示したように、本実施形態の保護装置１は、隣り合う２つの電池モジュール１１０の相対移動を許容しつつ、隣り合う２つの保護具２と連結部材５０との間の保持力を確保することができる。よって、この保護装置１は、保護具２が持つ温度センサ１４１や電線１４２（電線群１４３）の保護機能のみならず、その電線１４２（電線群１４３）において２つの保護具２に亘って配策されている部分の保護機能も得ることができる。
【００８２】
更に、本実施形態の保護装置１は、第１係止部２４ｂと第２係止部５１ｃの挿抜方向Ｄｉｐにおける間隔、第１及び第２の係止壁部２４ａ１，２４ａ２と突出部５１ｄのそれぞれの第２方向Ｄ２における間隔、第３及び第４の係止壁部２４ａ３，２４ａ４と突出部５１ｄのそれぞれの第１方向Ｄ１における間隔、第１係止部２４ｂと第２係止部５１ｃの第１方向Ｄ１における掛かり代、第１係止部２４ｂと第２係止部５１ｃの第２方向Ｄ２における掛かり代等を調整するだけで、隣り合う２つの電池モジュール１１０の相対移動に対応させることができる。即ち、この保護装置１は、隣り合う２つの電池モジュール１１０の間で許容する相対移動量（設計値）が変更されたとしても、それらの間隔や掛かり代を変更するだけで、新たな相対移動量に対応させることができる。従って、この保護装置１は、設計変更に容易に対応することができる。
【００８３】
先に示した例示では、隣り合う２つの保護具２Ａ，２Ｂを連結部材５０で連結させることで、隣り合う２つの電池モジュール１１０の温度検出具１４０を保護するものとして説明した。一方、この例示の電池パック１００では、隣り合う２つの電池モジュール１１０の電圧検出具１５０と収容箱１３１の保持部と電圧検出具１５０の保持部材とについても、隣り合わせに並べて配置されている。故に、この電池パック１００においては、その収容箱１３１の保持部と電圧検出具１５０の保持部材とが電圧検出具１５０の保護具となる。つまり、この電池パック１００では、その保護具（収容箱１３１の保持部と電圧検出具１５０の保持部材）についても保護装置１の構成に含めることができる。そして、この電池パック１００においては、例えば、隣り合う２つの保持部材（電圧検出具１５０の保持部材）の端部同士を筐体１３０の外で連結させる場合も考えられる。その場合には、隣り合う２つの保持部材の端部に先の例示の被保持体２４を設けると共に、その被保持体２４同士を先の例示の連結部材５０で連結すればよい。従って、本実施形態の保護装置１は、隣り合う２つの保持部材の端部に亘って配策される電圧検出具１５０の電線１５２についても、温度検出具１４０の電線１４２と同じように保護することができる。
【００８４】
ところで、以上示した例示の保護装置１では保護具２の設置対象物として電池モジュール１１０を例に挙げたが、その設置対象物は、電線配索構造体２０の配索対象で且つ保持対象としての電線が設けられているものであれば、如何様なものであってもよい。
【符号の説明】
【００８５】
１  保護装置
２，２Ａ，２Ｂ  保護具
１０  センサ保持体
２０  電線配索構造体
２３，２３Ａ，２３Ｂ  ガイド配索体
２４  被保持体（凸状体）
２４ａ１  第１係止壁部
２４ａ２  第２係止壁部
２４ａ３  第３係止壁部
２４ａ４  第４係止壁部
２４ａ５，２４ａ６  外周壁
２４ｂ  第１係止部
２４ｃ  第３係止部
５０，５０Ａ，５０Ｂ  連結部材
５１  保持体（挟持体）
５１ｃ  第２係止部
５１ｄ  突出部
５１ｅ  第４係止部
５２  連結体
１１０  電池モジュール（設置対象物）
１４１  温度センサ（電池状態検出センサ）
１４２  電線
１５１  電圧検出端子（電池状態検出センサ）
１５２  電線
【図１】
2019213380.tif 000003
【図２】
2019213380.tif 000004
【図３】
2019213380.tif 000005
【図４】
2019213380.tif 000006
【図５】
2019213380.tif 000007
【図６】
2019213380.tif 000008
【図７】
2019213380.tif 000009
【図８】
2019213380.tif 000010
【図９】
2019213380.tif 000011
【図１０】
2019213380.tif 000012
【図１１】
2019213380.tif 000013
【図１２】
2019213380.tif 000014
【図１３】
2019213380.tif 000015
【図１４】
2019213380.tif 000016
【図１５】
2019213380.tif 000017
【図１６】
2019213380.tif 000018